(57)【要約】【課題】  販売店及び消費者が商品の生産地を客観的に検証できるシステムを実現する。【解決手段】  商品の生産地に所在するコード発行要求装置１が、商品出荷時に、自身の所在位置を測位し、測位結果を示す位置情報と測位時刻を示す時刻情報を含ませて生産地保証コードの発行を生産地保証装置２に要求し、生産地保証装置２は、位置情報及び時刻情報に対して暗号化処理を行って生産地保証コードを生成し、コード発行要求装置１に送信し、コード発行要求装置１では生産地保証コードを表示するコードシールを商品に付加させて市場に流通させ、販売店では、コードシールが付された商品について端末装置３からコードシールに表示された生産地保証コードを含む生産地確認要求を送信し、生産地保証装置２が生産地保証コードに対する復号化処理を行って位置情報及び時刻情報を取得し、取得した位置情報及び時刻情報を示す生産地確認メッセージを端末装置３に送信する。【選択図】        図１
2005107799.tif 000002
【特許請求の範囲】
【請求項１】
商品の生産地の保証を行う生産地保証システムであって、
商品の生産地に所在し、生産地の保証のために商品の流通の際に商品に付される生産地保証コードの発行を要求するコード発行要求装置と、
コード発行要求に対して生産地保証コードの発行を行う生産地保証装置とを有し、
前記コード発行要求装置は、
生産地保証コードの発行を要求するコード発行要求を前記生産地保証装置に送信し、
前記生産地保証装置は、
コード発行要求を受信した場合に、コード発行要求の要求元に対する認証処理を行い、コード発行要求の要求元が前記コード発行要求装置である場合に、前記コード発行要求装置の所在位置を示す位置情報から生産地保証コードを生成し、生成した生産地保証コードを前記コード発行要求装置に送信することを特徴とする生産地保証システム。
【請求項２】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードから前記コード発行要求装置の位置情報を取得し、取得した前記コード発行要求装置の位置情報に基づいて当該商品の生産地を確認する生産地確認メッセージを生成し、生成した生産地確認メッセージを前記端末装置に対して送信することを特徴とする請求項１に記載の生産地保証システム。
【請求項３】
前記生産地保証装置は、
コード発行要求の要求元に対する認証処理の結果、コード発行要求の要求元が前記コード発行要求装置である場合に、前記コード発行要求装置の所在位置を示す位置情報に対して暗号化処理を行って前記コード発行要求装置の位置情報から生産地保証コードを生成し、生成した生産地保証コードを前記コード発行要求装置に送信することを特徴とする請求項１に記載の生産地保証システム。
【請求項４】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードに対する復号化処理を行って生産地保証コードから前記コード発行要求装置の位置情報を取得し、取得した前記コード発行要求装置の位置情報に基づいて当該商品の生産地を確認する生産地確認メッセージを生成し、生成した生産地確認メッセージを前記端末装置に対して送信することを特徴とする請求項３に記載の生産地保証システム。
【請求項５】
前記コード発行要求装置は、
自装置の所在位置を示す位置情報を含むコード発行要求を生成し、生成したコード発行要求を前記生産地保証装置に送信し、
前記生産地保証装置は、
コード発行要求の要求元に対する認証処理の結果、コード発行要求の要求元が前記コード発行要求装置である場合に、コード発行要求に含まれた前記コード発行要求装置の位置情報から生産地保証コードを生成し、生成した生産地保証コードを前記コード発行要求装置に送信することを特徴とする請求項１又は３に記載の生産地保証システム。
【請求項６】
前記生産地保証装置は、
前記コード発行要求装置の所在位置を示す位置情報を記憶しており、
コード発行要求の要求元に対する認証処理の結果、コード発行要求の要求元が前記コード発行要求装置である場合に、記憶している前記コード発行要求装置の位置情報から生産地保証コードを生成し、生成した生産地保証コードを前記コード発行要求装置に送信することを特徴とする請求項１又は３に記載の生産地保証システム。
【請求項７】
前記コード発行要求装置は、
自装置の所在位置を示す位置情報とコード発行要求の生成時刻を示す時刻情報とを含むコード発行要求を生成し、生成したコード発行要求を前記生産地保証装置に送信し、
前記生産地保証装置は、
コード発行要求の要求元に対する認証処理の結果、コード発行要求の要求元が前記コード発行要求装置である場合に、コード発行要求に含まれた前記コード発行要求装置の位置情報と時刻情報から生産地保証コードを生成し、生成した生産地保証コードを前記コード発行要求装置に送信することを特徴とする請求項１又は３に記載の生産地保証システム。
【請求項８】
前記コード発行要求装置は、
コード発行要求の生成の度に自装置の所在位置の測位を行い、自装置の所在位置を示す位置情報と測位時刻を示す時刻情報とを含むコード発行要求を生成し、生成したコード発行要求を前記生産地保証装置に送信し、
前記生産地保証装置は、
コード発行要求の要求元に対する認証処理の結果、コード発行要求の要求元が前記コード発行要求装置である場合に、コード発行要求に含まれた前記コード発行要求装置の位置情報と時刻情報から生産地保証コードを生成し、生成した生産地保証コードを前記コード発行要求装置に送信することを特徴とする請求項１又は３に記載の生産地保証システム。
【請求項９】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードから前記コード発行要求装置の位置情報と時刻情報を取得し、取得した前記コード発行要求装置の位置情報と時刻情報に基づいて当該商品の生産地を確認する生産地確認メッセージを生成し、生成した生産地確認メッセージを前記端末装置に対して送信することを特徴とする請求項７又は８に記載の生産地保証システム。
【請求項１０】
前記コード発行要求装置は、
測位情報を配信する機能を有する人工衛星から配信される測位情報を用いて自装置の所在位置を測位することを特徴とする請求項８に記載の生産地保証システム。
【請求項１１】
商品の生産地に所在し、生産地の保証のために商品の流通の際に商品に付される生産地保証コードの発行を要求するコード発行要求装置に対して、生産地保証コードを発行する生産地保証装置であって、
生産地保証コードの発行を要求するコード発行要求を受信するコード発行要求受信部と、
前記コード発行要求受信部によりコード発行要求が受信された場合に、受信されたコード発行要求の要求元に対する認証処理を行う認証処理部と、
前記認証処理部による認証処理の結果、コード発行要求の要求元が前記コード発行要求装置である場合に、前記コード発行要求装置の所在位置を示す位置情報から生産地保証コードを生成するコード生成部と、
前記コード生成部により生成された生産地保証コードを前記コード発行要求装置に送信するコード送信部とを有することを特徴とする生産地保証装置。
【請求項１２】
前記生産地保証装置は、更に、
前記コード送信部から前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信部と、
受信された生産地確認要求に含まれた生産地保証コードから前記コード発行要求装置の位置情報を取得し、取得した前記コード発行要求装置の位置情報に基づいて当該商品の生産地を確認する生産地確認メッセージを生成する生産地確認メッセージ生成部と、
前記生産地確認メッセージ生成部により生成された生産地確認メッセージを前記端末装置に対して送信するメッセージ送信部とを有することを特徴とする請求項１１に記載の生産地保証装置。
【請求項１３】
前記コード生成部は、
前記認証処理部による認証処理の結果、コード発行要求の要求元が前記コード発行要求装置である場合に、前記コード発行要求装置の所在位置を示す位置情報に対して暗号化処理を行って前記コード発行要求装置の位置情報から生産地保証コードを生成することを特徴とする請求項１１に記載の生産地保証装置。
【請求項１４】
前記生産地保証装置は、更に、
前記コード送信部から前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信部と、
受信された生産地確認要求に含まれた生産地保証コードに対する復号化処理を行って生産地保証コードから前記コード発行要求装置の位置情報を取得し、取得した前記コード発行要求装置の位置情報に基づいて当該商品の生産地を確認する生産地確認メッセージを生成する生産地確認メッセージ生成部と、
前記生産地確認メッセージ生成部により生成された生産地確認メッセージを前記端末装置に対して送信するメッセージ送信部とを有することを特徴とする請求項１３に記載の生産地保証装置。
【請求項１５】
前記コード発行要求受信部は、
前記コード発行要求装置から、前記コード発行要求装置の所在位置を示す位置情報が含まれたコード発行要求を受信する場合があり、
前記コード生成部は、
前記認証処理部による認証処理の結果、コード発行要求の要求元が前記コード発行要求装置である場合に、コード発行要求に含まれた前記コード発行要求装置の位置情報から生産地保証コードを生成することを特徴とする請求項１１又は１３に記載の生産地保証装置。
【請求項１６】
前記生産地保証装置は、更に、
前記コード発行要求の所在位置を示す位置情報を記憶する位置情報記憶部を有し、
前記コード生成部は、
前記認証処理部による認証処理の結果、コード発行要求の要求元が前記コード発行要求装置である場合に、前記位置情報記憶部に記憶されている前記コード発行要求装置の位置情報から生産地保証コードを生成することを特徴とする請求項１１又は１３に記載の生産地保証装置。
【請求項１７】
前記コード発行要求受信部は、
前記コード発行要求装置から、前記コード発行要求装置の所在位置を示す位置情報とコード発行要求の生成時刻を示す時刻情報とが含まれたコード発行要求を受信する場合があり、
前記コード生成部は、
前記認証処理部による認証処理の結果、コード発行要求の要求元が前記コード発行要求装置である場合に、コード発行要求に含まれた前記コード発行要求装置の位置情報と時刻情報から生産地保証コードを生成することを特徴とする請求項１１又は１３に記載の生産地保証装置。
【請求項１８】
前記コード発行要求受信部は、
前記コード発行要求装置から、前記コード発行要求装置が測位した前記コード発行要求装置の所在位置を示す位置情報と測位時刻を示す時刻情報とが含まれたコード発行要求を受信する場合があり、
前記コード生成部は、
前記認証処理部による認証処理の結果、コード発行要求の要求元が前記コード発行要求装置である場合に、コード発行要求に含まれた前記コード発行要求装置の位置情報と時刻情報から生産地保証コードを生成することを特徴とする請求項１１又は１３に記載の生産地保証装置。
【請求項１９】
前記生産地保証装置は、更に、
前記コード送信部から前記コード発行要求装置に生産地保証コードが送信された結果、前記コード発行要求装置に送信された生産地保証コードが付された商品が流通した場合に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信部と、
受信された生産地確認要求に含まれた生産地保証コードから前記コード発行要求装置の位置情報と時刻情報を取得し、取得した前記コード発行要求装置の位置情報と時刻情報に基づいて当該商品の生産地を確認する生産地確認メッセージを生成する生産地確認メッセージ生成部と、
前記生産地確認メッセージ生成部により生成された生産地確認メッセージを前記端末装置に対して送信するメッセージ送信部とを有することを特徴とする請求項１７又は１８に記載の生産地保証装置。
【請求項２０】
商品の生産地に所在し、生産地の保証のために商品の流通の際に商品に付される生産地保証コードの発行を要求するコード発行要求装置に対して、生産地保証コードを発行する生産地保証方法であって、
生産地保証コードの発行を要求するコード発行要求を受信するコード発行要求受信ステップと、
前記コード発行要求受信ステップによりコード発行要求が受信された場合に、受信されたコード発行要求の要求元に対する認証処理を行う認証処理ステップと、
前記認証処理ステップによる認証処理の結果、コード発行要求の要求元が前記コード発行要求装置である場合に、前記コード発行要求装置の所在位置を示す位置情報から生産地保証コードを生成するコード生成ステップと、
前記コード生成ステップにより生成された生産地保証コードを前記コード発行要求装置に送信するコード送信ステップとを有することを特徴とする生産地保証方法。
【請求項２１】
前記生産地保証方法は、更に、
前記コード送信ステップにより前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信ステップと、
受信された生産地確認要求に含まれた生産地保証コードから前記コード発行要求装置の位置情報を取得し、取得した前記コード発行要求装置の位置情報に基づいて当該商品の生産地を確認する生産地確認メッセージを生成する生産地確認メッセージ生成ステップと、
前記生産地確認メッセージ生成ステップにより生成された生産地確認メッセージを前記端末装置に対して送信するメッセージ送信ステップとを有することを特徴とする請求項２０に記載の生産地保証方法。
【請求項２２】
前記コード生成ステップは、
前記認証処理ステップによる認証処理の結果、コード発行要求の要求元が前記コード発行要求装置である場合に、前記コード発行要求装置の所在位置を示す位置情報に対して暗号化処理を行って前記コード発行要求装置の位置情報から生産地保証コードを生成することを特徴とする請求項２０に記載の生産地保証方法。
【請求項２３】
前記生産地保証方法は、更に、
前記コード送信ステップにより前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信ステップと、
受信された生産地確認要求に含まれた生産地保証コードに対する復号化処理を行って生産地保証コードから前記コード発行要求装置の位置情報を取得し、取得した前記コード発行要求装置の位置情報に基づいて当該商品の生産地を確認する生産地確認メッセージを生成する生産地確認メッセージ生成ステップと、
前記生産地確認メッセージ生成ステップにより生成された生産地確認メッセージを前記端末装置に対して送信するメッセージ送信ステップとを有することを特徴とする請求項２２に記載の生産地保証方法。
【請求項２４】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードに対する復号化処理を行って生産地保証コードから前記コード発行要求装置の位置情報と時刻情報を取得し、取得した前記コード発行要求装置の位置情報と時刻情報に基づいて当該商品の生産地を確認する生産地確認メッセージを生成し、生成した生産地確認メッセージを前記端末装置に対して送信することを特徴とする請求項７又は８に記載の生産地保証システム。
【発明の詳細な説明】
【技術分野】
【０００１】
本発明は、商品の生産地を保証するシステム等に関する。
【背景技術】
【０００２】
近年、商品の差別化を図るために、農産物や畜産物をはじめとして商品の生産地のブランド化が推進されており、また、健康指向や安全指向の高まりから、消費者においても商品の生産地に対する関心が高まっている。しかしながら、現在は、商品が適正に流通されてきたか否か、すなわち、販売店が入荷した商品が所定の生産地で生産された商品であるかどうかを客観的に検証できるシステムが存在せず、このため、販売店では、商品の産地表示や納品書等に記載された出荷元の表示等に基づいて商品の生産地を確認している。また、消費者においても、販売店に陳列されている商品が所定の生産地で生産された商品であるかどうかを確認する手立てがなく、このため、販売店の陳列棚等に示された「○×県産」等の表示に従って商品を購入している。
【０００３】
また、商品の生産地と販売店又は消費者を結び付ける手段として、特開２００３−２２３４８１号公報に開示された「農業生産者支援システム、該システムの機能を実現するプログラム及び記録媒体」がある。この「農業生産者支援システム、該システムの機能を実現するプログラム及び記録媒体」は、生産者向けポータルサイトと消費者向けポータルサイトとをサーバ上に設定し、これらポータルサイト同士が相互連携をとることができるようにしている。農業生産者は端末装置を用いて生産者向けポータルサイトにアクセスし、一方消費者は端末装置を用いて消費者向けポータルサイトにアクセスする。提供されるサービスとして、産地直送品の販売支援サービス、農業生産品の知名度を上げて所謂ブランド化していくことを支援するブランドチャレンジ支援サービス、産地紹介等各種情報を農業生産者から発信するためのホームページの開設を支援するホームページ開設支援サービス、及び農業生産者に対して農業に関する様々な情報を提供できる農業情報支援サービスが設定される。
【特許文献１】特開２００３−２２３４８１号公報
【発明の開示】
【発明が解決しようとする課題】
【０００４】
上述したように、現在は、販売店及び消費者が商品の生産地を客観的に検証できるシステムが存在しておらず、このため、販売店は商品の産地表示等に頼って商品の生産地を確認するにとどまり、また、消費者は販売店の提示した生産地の表示等に頼って商品の生産地を確認するにとどまっている。
【０００５】
また、特開２００３−２２３４８１号公報に記載の「農業生産者支援システム、該システムの機能を実現するプログラム及び記録媒体」によっても、販売店及び消費者は商品の生産地を確認することはできない。
【０００６】
本発明は、このような問題を解決することを目的としており、販売店及び消費者が商品の生産地を客観的に検証できるシステム等を実現することを主な目的とする。
【課題を解決するための手段】
【０００７】
本発明に係る生産地保証システムは、
商品の生産地の保証を行う生産地保証システムであって、
商品の生産地に所在し、生産地の保証のために商品の流通の際に商品に付される生産地保証コードの発行を要求するコード発行要求装置と、
コード発行要求に対して生産地保証コードの発行を行う生産地保証装置とを有し、
前記コード発行要求装置は、
生産地保証コードの発行を要求するコード発行要求を前記生産地保証装置に送信し、
前記生産地保証装置は、
コード発行要求を受信した場合に、コード発行要求の要求元に対する認証処理を行い、コード発行要求の要求元が前記コード発行要求装置である場合に、前記コード発行要求装置の所在位置を示す位置情報から生産地保証コードを生成し、生成した生産地保証コードを前記コード発行要求装置に送信することを特徴とする。
【０００８】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードから前記コード発行要求装置の位置情報を取得し、取得した前記コード発行要求装置の位置情報に基づいて当該商品の生産地を確認する生産地確認メッセージを生成し、生成した生産地確認メッセージを前記端末装置に対して送信することを特徴とする。
【０００９】
前記生産地保証装置は、
コード発行要求の要求元に対する認証処理の結果、コード発行要求の要求元が前記コード発行要求装置である場合に、前記コード発行要求装置の所在位置を示す位置情報に対して暗号化処理を行って前記コード発行要求装置の位置情報から生産地保証コードを生成し、生成した生産地保証コードを前記コード発行要求装置に送信することを特徴とする。
【００１０】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードに対する復号化処理を行って生産地保証コードから前記コード発行要求装置の位置情報を取得し、取得した前記コード発行要求装置の位置情報に基づいて当該商品の生産地を確認する生産地確認メッセージを生成し、生成した生産地確認メッセージを前記端末装置に対して送信することを特徴とする。
【００１１】
前記コード発行要求装置は、
自装置の所在位置を示す位置情報を含むコード発行要求を生成し、生成したコード発行要求を前記生産地保証装置に送信し、
前記生産地保証装置は、
コード発行要求の要求元に対する認証処理の結果、コード発行要求の要求元が前記コード発行要求装置である場合に、コード発行要求に含まれた前記コード発行要求装置の位置情報から生産地保証コードを生成し、生成した生産地保証コードを前記コード発行要求装置に送信することを特徴とする。
【００１２】
前記生産地保証装置は、
前記コード発行要求装置の所在位置を示す位置情報を記憶しており、
コード発行要求の要求元に対する認証処理の結果、コード発行要求の要求元が前記コード発行要求装置である場合に、記憶している前記コード発行要求装置の位置情報から生産地保証コードを生成し、生成した生産地保証コードを前記コード発行要求装置に送信することを特徴とする。
【００１３】
前記コード発行要求装置は、
自装置の所在位置を示す位置情報とコード発行要求の生成時刻を示す時刻情報とを含むコード発行要求を生成し、生成したコード発行要求を前記生産地保証装置に送信し、
前記生産地保証装置は、
コード発行要求の要求元に対する認証処理の結果、コード発行要求の要求元が前記コード発行要求装置である場合に、コード発行要求に含まれた前記コード発行要求装置の位置情報と時刻情報から生産地保証コードを生成し、生成した生産地保証コードを前記コード発行要求装置に送信することを特徴とする。
【００１４】
前記コード発行要求装置は、
コード発行要求の生成の度に自装置の所在位置の測位を行い、自装置の所在位置を示す位置情報と測位時刻を示す時刻情報とを含むコード発行要求を生成し、生成したコード発行要求を前記生産地保証装置に送信し、
前記生産地保証装置は、
コード発行要求の要求元に対する認証処理の結果、コード発行要求の要求元が前記コード発行要求装置である場合に、コード発行要求に含まれた前記コード発行要求装置の位置情報と時刻情報から生産地保証コードを生成し、生成した生産地保証コードを前記コード発行要求装置に送信することを特徴とする。
【００１５】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードから前記コード発行要求装置の位置情報と時刻情報を取得し、取得した前記コード発行要求装置の位置情報と時刻情報に基づいて当該商品の生産地を確認する生産地確認メッセージを生成し、生成した生産地確認メッセージを前記端末装置に対して送信することを特徴とする。
【００１６】
前記コード発行要求装置は、
測位情報を配信する機能を有する人工衛星から配信される測位情報を用いて自装置の所在位置を測位することを特徴とする。
【００１７】
本発明に係る生産地保証装置は、
商品の生産地に所在し、生産地の保証のために商品の流通の際に商品に付される生産地保証コードの発行を要求するコード発行要求装置に対して、生産地保証コードを発行する生産地保証装置であって、
生産地保証コードの発行を要求するコード発行要求を受信するコード発行要求受信部と、
前記コード発行要求受信部によりコード発行要求が受信された場合に、受信されたコード発行要求の要求元に対する認証処理を行う認証処理部と、
前記認証処理部による認証処理の結果、コード発行要求の要求元が前記コード発行要求装置である場合に、前記コード発行要求装置の所在位置を示す位置情報から生産地保証コードを生成するコード生成部と、
前記コード生成部により生成された生産地保証コードを前記コード発行要求装置に送信するコード送信部とを有することを特徴とする。
【００１８】
前記生産地保証装置は、更に、
前記コード送信部から前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信部と、
受信された生産地確認要求に含まれた生産地保証コードから前記コード発行要求装置の位置情報を取得し、取得した前記コード発行要求装置の位置情報に基づいて当該商品の生産地を確認する生産地確認メッセージを生成する生産地確認メッセージ生成部と、
前記生産地確認メッセージ生成部により生成された生産地確認メッセージを前記端末装置に対して送信するメッセージ送信部とを有することを特徴とする。
【００１９】
前記コード生成部は、
前記認証処理部による認証処理の結果、コード発行要求の要求元が前記コード発行要求装置である場合に、前記コード発行要求装置の所在位置を示す位置情報に対して暗号化処理を行って前記コード発行要求装置の位置情報から生産地保証コードを生成することを特徴とする。
【００２０】
前記生産地保証装置は、更に、
前記コード送信部から前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信部と、
受信された生産地確認要求に含まれた生産地保証コードに対する復号化処理を行って生産地保証コードから前記コード発行要求装置の位置情報を取得し、取得した前記コード発行要求装置の位置情報に基づいて当該商品の生産地を確認する生産地確認メッセージを生成する生産地確認メッセージ生成部と、
前記生産地確認メッセージ生成部により生成された生産地確認メッセージを前記端末装置に対して送信するメッセージ送信部とを有することを特徴とする。
【００２１】
前記コード発行要求受信部は、
前記コード発行要求装置から、前記コード発行要求装置の所在位置を示す位置情報が含まれたコード発行要求を受信する場合があり、
前記コード生成部は、
前記認証処理部による認証処理の結果、コード発行要求の要求元が前記コード発行要求装置である場合に、コード発行要求に含まれた前記コード発行要求装置の位置情報から生産地保証コードを生成することを特徴とする。
【００２２】
前記生産地保証装置は、更に、
前記コード発行要求の所在位置を示す位置情報を記憶する位置情報記憶部を有し、
前記コード生成部は、
前記認証処理部による認証処理の結果、コード発行要求の要求元が前記コード発行要求装置である場合に、前記位置情報記憶部に記憶されている前記コード発行要求装置の位置情報から生産地保証コードを生成することを特徴とする。
【００２３】
前記コード発行要求受信部は、
前記コード発行要求装置から、前記コード発行要求装置の所在位置を示す位置情報とコード発行要求の生成時刻を示す時刻情報とが含まれたコード発行要求を受信する場合があり、
前記コード生成部は、
前記認証処理部による認証処理の結果、コード発行要求の要求元が前記コード発行要求装置である場合に、コード発行要求に含まれた前記コード発行要求装置の位置情報と時刻情報から生産地保証コードを生成することを特徴とする。
【００２４】
前記コード発行要求受信部は、
前記コード発行要求装置から、前記コード発行要求装置が測位した前記コード発行要求装置の所在位置を示す位置情報と測位時刻を示す時刻情報とが含まれたコード発行要求を受信する場合があり、
前記コード生成部は、
前記認証処理部による認証処理の結果、コード発行要求の要求元が前記コード発行要求装置である場合に、コード発行要求に含まれた前記コード発行要求装置の位置情報と時刻情報から生産地保証コードを生成することを特徴とする。
【００２５】
前記生産地保証装置は、更に、
前記コード送信部から前記コード発行要求装置に生産地保証コードが送信された結果、前記コード発行要求装置に送信された生産地保証コードが付された商品が流通した場合に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信部と、
受信された生産地確認要求に含まれた生産地保証コードから前記コード発行要求装置の位置情報と時刻情報を取得し、取得した前記コード発行要求装置の位置情報と時刻情報に基づいて当該商品の生産地を確認する生産地確認メッセージを生成する生産地確認メッセージ生成部と、
前記生産地確認メッセージ生成部により生成された生産地確認メッセージを前記端末装置に対して送信するメッセージ送信部とを有することを特徴とする。
【００２６】
本発明に係る生産地保証方法は、
商品の生産地に所在し、生産地の保証のために商品の流通の際に商品に付される生産地保証コードの発行を要求するコード発行要求装置に対して、生産地保証コードを発行する生産地保証方法であって、
生産地保証コードの発行を要求するコード発行要求を受信するコード発行要求受信ステップと、
前記コード発行要求受信ステップによりコード発行要求が受信された場合に、受信されたコード発行要求の要求元に対する認証処理を行う認証処理ステップと、
前記認証処理ステップによる認証処理の結果、コード発行要求の要求元が前記コード発行要求装置である場合に、前記コード発行要求装置の所在位置を示す位置情報から生産地保証コードを生成するコード生成ステップと、
前記コード生成ステップにより生成された生産地保証コードを前記コード発行要求装置に送信するコード送信ステップとを有することを特徴とする。
【００２７】
前記生産地保証方法は、更に、
前記コード送信ステップにより前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信ステップと、
受信された生産地確認要求に含まれた生産地保証コードから前記コード発行要求装置の位置情報を取得し、取得した前記コード発行要求装置の位置情報に基づいて当該商品の生産地を確認する生産地確認メッセージを生成する生産地確認メッセージ生成ステップと、
前記生産地確認メッセージ生成ステップにより生成された生産地確認メッセージを前記端末装置に対して送信するメッセージ送信ステップとを有することを特徴とする。
【００２８】
前記コード生成ステップは、
前記認証処理ステップによる認証処理の結果、コード発行要求の要求元が前記コード発行要求装置である場合に、前記コード発行要求装置の所在位置を示す位置情報に対して暗号化処理を行って前記コード発行要求装置の位置情報から生産地保証コードを生成することを特徴とする。
【００２９】
前記生産地保証方法は、更に、
前記コード送信ステップにより前記コード発行要求装置に生産地保証コードが送信され、前記コード発行要求装置に送信された生産地保証コードが付された商品が流通した際に、前記コード発行要求装置に送信された生産地保証コードが付された商品に関して当該商品に付された生産地保証コードを含み当該商品の生産地の確認を要求する生産地確認要求を所定の端末装置から受信する生産地確認要求受信ステップと、
受信された生産地確認要求に含まれた生産地保証コードに対する復号化処理を行って生産地保証コードから前記コード発行要求装置の位置情報を取得し、取得した前記コード発行要求装置の位置情報に基づいて当該商品の生産地を確認する生産地確認メッセージを生成する生産地確認メッセージ生成ステップと、
前記生産地確認メッセージ生成ステップにより生成された生産地確認メッセージを前記端末装置に対して送信するメッセージ送信ステップとを有することを特徴とする。
【００３０】
前記生産地保証装置は、
生産地保証コードを前記コード発行要求装置に送信した結果、前記コード発行要求装置に送信した生産地保証コードが付された商品が流通し、前記コード発行要求装置に送信した生産地保証コードが付された商品に関して当該商品に付された生産地保証コードを含み当該商品の生産地の確認を要求する生産地確認要求を所定の端末装置から受信した場合に、受信した生産地確認要求に含まれた生産地保証コードに対する復号化処理を行って生産地保証コードから前記コード発行要求装置の位置情報と時刻情報を取得し、取得した前記コード発行要求装置の位置情報と時刻情報に基づいて当該商品の生産地を確認する生産地確認メッセージを生成し、生成した生産地確認メッセージを前記端末装置に対して送信することを特徴とする。
【発明の効果】
【００３１】
本発明によれば、商品の生産地を客観的に検証することができる。
【発明を実施するための最良の形態】
【００３２】
実施の形態１．
図１は、本実施の形態に係る生産地保証システムのシステム構成例を示す。
【００３３】
図において、コード発行要求装置１は、商品の生産地に配置されたコンピュータであり、例えば、農産物の出荷を管理する組合や漁業組合等に設置されていてもよいし、個々の農家や漁業業者に設置されていてもよい。また、コード発行要求装置１は、生産地保証装置２において生産地保証コードの発行対象として登録された装置である。コード発行要求装置１は、例えば商品出荷時に、生産地保証装置２に対して生産地保証コードの発行を要求し、生産地保証装置２から生産地保証コードを受信した場合に、生産地保証コードを表示するコードシールの発券を行う。発券されたコードシールは商品に付される。そして、コードシールが付された商品の出荷が行われ、所定の流通経路にて市場に流通することになる。なお、図１では、コード発行要求装置１は１つしか示されていないが、実際には、各地に存在しているものとする。又、ここで、コードシールの代わりに電子タグを用いてもよい。
【００３４】
生産地保証装置２は、例えば、公共機関等に設置されたコンピュータであり、商品の生産地の保証を行う。生産地保証装置２は、コード発行要求装置１からのコード発行要求を受信した場合には、コード発行要求装置１に対して生産地保証コードの発行を行う。また、生産地保証コード（コードシール）が付された商品が流通した場合に、例えば、販売店に配置された端末装置３からの生産地確認要求に対して、生産地保証コード（コードシール）が付された商品の生産を確認する生産地確認メッセージの送信を行う。
【００３５】
端末装置３は、例えばスーパーマーケット等の販売店に配置された端末装置であり、生産地保証コード（コードシール）が付された商品に関して当該商品の生産地の確認を要求する生産地確認要求を生産地保証装置２に送信し、生産地保証装置２から生産地を確認する生産地確認メッセージを受信する。
【００３６】
ネットワーク４は、コード発行要求装置１と生産地保証装置２、及び端末装置３と生産地保証装置２を接続するネットワークであり、例えば、インターネットである。
【００３７】
準天頂衛星５は、測位情報を配信しており、コード発行要求装置１は準天頂衛星５から配信される測位情報を用いて所在位置の測位を行う。測位情報とは、例えば、ＧＰＳ（Ｇｌｏｂａｌ  Ｐｏｓｉｔｉｏｎｉｎｇ  Ｓｙｓｔｅｍ）情報である。
【００３８】
準天頂衛星５は、赤道面から約４５度の傾斜角になるように地球の自転に合わせて１日に１周回している。なお、赤道面からの傾斜角は、設計により任意に設定してよい。また、一例として昇交点赤経（赤道面との交点）において１２０度ずつ離れるように３機が配置されている。地表面上に投影される準天頂衛星軌道の軌跡は、地上を固定して考えた場合に、準天頂衛星は赤道上を交点とする「８の字」または「涙的型」を描くように周回している。３機の準天頂衛星は、軌道面を異にするが８時間ごとに交代（会合）することにより、切れ目なく日本上空に位置している。また、地域を日本で考えた場合、仰角が７０度以上の準天頂衛星が常に存在することになる。切れ目なく日本上空に位置しているため、仰角が７０度以上の準天頂衛星が常に存在し、受信者が地上で準天頂衛星から電波を受ける際、ビルの谷間でも電波を遮られることが少ない。
【００３９】
次に、図１を参照して実施の形態１に係る生産地保証システムの動作を概説する。
【００４０】
ここでは、コード発行要求装置１は、農産物の出荷を扱う組合に設置されている場合を想定する。まず、当該組合の管轄する地域で生産された農産物の出荷時に、コード発行要求装置１は、準天頂衛星５から配信されている測位情報を受信し、コード発行要求装置１の所在位置の測位を行う。そして測位結果を示す位置情報（緯度、経度、高さ）と測位を行った測位時刻を示す時刻情報を含むコード発行要求を生成する。コード発行要求には、図８に示すように、位置情報及び時刻情報のほかに、生産地保証装置２における認証処理に用いる認証情報（例えば、装置ＩＤやパスワード等）や生産地保証コードの要求数量の情報が含まれている。コード発行要求を生成した後、コード発行要求装置１はコード発行要求をネットワーク４を介して生産地保証装置２に送信する。
【００４１】
次に、生産地保証装置２では、コード発行要求装置１から送信されたコード発行要求を受信し、コード発行要求に含まれた認証情報を用いてコード発行要求の要求元についての認証処理を行う。認証処理の結果、コード発行要求の発行元がコード発行要求装置１であることが判明した場合には、コード発行要求に含まれた位置情報と時刻情報に対して暗号化処理を行い、位置情報と時刻情報から生産地保証コードを要求数量分生成する。この生産地保証コードは、例えば、バーコードや２次元バーコードである。生産地保証コードを生成した後、生産地保証装置２は生産地保証コードをネットワーク４を介してコード発行要求装置１に送信する。
【００４２】
コード発行要求装置１では、生産地保証装置２から送信された生産地保証コードを受信し、受信した生産地保証コードを表示するコードシールを発券する。コードシールには、コードシールの複製を防ぐためにコード発行要求装置１のＩＤやコードのシリアル番号等が印字されていてもよい。発券されたコードシールは、例えば、組合の職員により農産物を収容している箱等に貼付される。コードシールが箱等に付された後、農産物の出荷が行われ、所定の流通経路にて市場に流通する。
【００４３】
販売店では、コードシールが箱等に付された農産物の入荷が行われる。販売店では、例えば農産物の入荷時に、入荷した農産物の生産地が真正かどうかを確認するため、端末装置３を用いて生産地保証装置２に生産地確認要求を送信する。具体的には、端末装置３がコードシールに表示された生産地保証コードの読み取りを行い、読み取った生産地保証コードを含み生産地の確認を要求する生産地確認要求を生成し、ネットワーク４を介して生産地保証装置２に生産地確認要求を送信する。また、例えば、販売店の顧客（消費者）が生産地の確認を行えるように、販売店の売り場に端末装置３を設置し、農産物の陳列棚等にコードシールを貼付し、顧客の操作により端末装置３にコードシールの読み取りを行わせ、生産地確認要求を送信させるようにしてもよい。端末装置３から生産地保証装置２への生産地確認要求の送信に関しては、例えば、コードシールに生産地保証装置２のアドレス情報を記述し、端末装置３がコードシールに記述されたアドレス情報を読み取り、読み取ったアドレス情報に従って生産地保証装置２に生産地確認要求を送信するようにしてもよいし、予め端末装置３に生産地保証装置２のアドレス情報を記憶させていてもよい。
【００４４】
次に、生産地保証装置２では、端末装置３から送信された生産地確認要求を受信し、受信した生産地確認要求から生産地保証コードを抽出し、生産地保証コードに対する復号化処理を行い、生産地保証コードからコード発行要求装置１の位置情報及び時刻情報を取得する。上述したように、生産地保証コードは、コード発行要求装置１の位置情報及び時刻情報を暗号化したコードであるから、復号化処理によりコード発行要求装置１の位置情報及び時刻情報を取得することができる。コード発行要求装置１の位置情報及び時刻情報を取得した後、位置情報及び時刻情報に基づき商品の生産地を確認する生産地確認メッセージを生成し、端末装置３に生産地確認メッセージを送信する。生産地確認メッセージには、図９に示すように、位置情報、時刻情報とともに、コード発行要求装置１が所在している市町村名を示す付加情報を含ませることも可能である。コード発行要求装置１の所在地（市町村名）の特定は、生産地保証装置２に予めコード発行要求装置１の所在地情報（市町村名）を登録しておき、復号化処理により取得した位置情報と所在地情報を照合することにより可能である。
【００４５】
次に、端末装置３では、生産地保証装置２から送信された生産地確認メッセージを受信し、受信した生産地確認メッセージから所定の表示情報を生成し、表示情報を表示する。図１０は表示情報の例を示しており、時刻情報（○○年××月△△日○○時××分）、位置情報（緯度：○○、経度：××、高さ：△△）、コード発行要求装置１の所在地（△△県○○市××町）が表示され、販売店の担当者又は消費者は商品の生産地及び出荷時刻を確認することができる。
【００４６】
また、生産地保証装置２が発行した生産地保証コード以外の他のコードが商品に付されている場合は、生産地保証装置２において当該コードに対する復号化処理を行っても適正に位置情報及び時刻情報が取得できないため、生産地保証装置２はエラーメッセージを生成して端末装置３に送信する。この結果、端末装置３にはエラーメッセージが表示情報として表示され、販売店の担当者又は消費者は生産地保証装置２によって生産地の保証がなされていない商品であることが確認できる。図１１に、エラーメッセージが送信された場合の表示情報の例を示す。
【００４７】
次に、コード発行要求装置１、生産地保証装置２、端末装置３の構成について説明する。
【００４８】
図２は、コード発行要求装置１の構成例を示す図である。ＧＰＳアンテナ１０１は、準天頂衛星５から配信される測位情報を受信するアンテナである。ＧＰＳ受信部１０２はＧＰＳアンテナ１０１を介して受信された測位情報の受信処理を行う。コード発行要求生成部１０３は測位情報に基づいてコード発行要求装置１の所在位置の測位及び測位時刻の検出を行い、図８に示すように位置情報、時刻情報、認証情報、要求数量情報を含むコード発行要求を生成する。通信部１０４は、コード発行要求生成部１０３で生成されたコード発行要求を生産地保証装置２に送信するとともに、生産地保証装置２から送信された生産地保証コードを受信する。コードシール出力部１０５は、通信部１０４により受信された生産地保証コードを表示するコードシールを発行する。入力部１０６はコード発行要求装置１のオペレータから各種情報を入力する。入力する情報としては、例えば、コード発行要求の生成指示や、生産地保証コードの要求数量の情報である。
【００４９】
なお、コード発行要求装置１は、図示していないが、例えばマイクロプロセッサ等のＣＰＵ、半導体メモリ等や磁気ディスク等の記録手段、及び通信手段を有する計算機により実現することができる。記録手段には、コード発行要求装置１に含まれる各構成要素の機能を実現するプログラムが記録されており、ＣＰＵがこれらのプログラムを読み込むことによりコード発行要求装置１の動作を制御し、各構成要素の機能を実現することができる。
【００５０】
図３は、生産地保証装置２の構成例を示す図である。生産地保証装置２は、コード発行機能２０１と生産地確認機能２０２とに大別される。コード発行機能２０１には、コード発行要求受信部２０３、認証処理部２０４、コード生成部２０５、コード送信部２０６の手段が含まれる。また、生産地確認機能２０２には、生産地確認要求受信部２０７、生産地確認メッセージ生成部２０８、所在地情報データベース２０９、メッセージ送信部２１０の手段が含まれる。
【００５１】
コード発行要求受信部２０３は、コード発行要求装置１から送信されたコード発行要求を受信する。認証処理部２０４は、コード発行要求に含まれた認証情報を用いてコード発行要求の要求元に対する認証処理を行う。コード生成部２０５は、認証処理部２０４の認証処理によりコード発行要求の要求元がコード発行要求装置１であると判明した場合に、コード発行要求に含まれた位置情報及び時刻情報に対する暗号化処理を行って、位置情報及び時刻情報から生産地保証コードを要求数量分生成する。コード送信部２０６は、コード生成部２０５により生成された生産地保証コードをコード発行要求装置１に送信する。
【００５２】
生産地確認要求受信部２０７は、端末装置３から送信された生産地確認要求を受信する。生産地確認メッセージ生成部２０８は、生産地確認要求に含まれた生産地保証コードに対する復号化処理を行って、生産地保証コードからコード発行要求装置の位置情報及び時刻情報を取得し、取得した位置情報と所在地情報データベース２０９に記憶されているコード発行要求装置１の所在地情報を照合してコード発行要求装置１の所在地（市町村名）を取得して付加情報とし、位置情報、時刻情報及び付加情報を含む生産地確認メッセージ（図９）を生成する。また、端末装置３より不正な生産地保証コードが含まれた生産地確認要求が送信された場合は、位置情報及び時刻情報が適正に取得できないため、この場合にはエラーメッセージを生成する。所在地情報データベース２０９は、生産地確認メッセージ生成部２０８が付加情報を生成する際に参照する所在地情報を記憶している。所在地情報データベース２０９には、例えば、図１２に示すように、各コード発行要求装置の所在地（市町村名）と絶対位置（緯度、経度、高さ）の情報が示されており、生産地確認メッセージ生成部２０８は復号化処理により取得したコード発行要求装置１の位置情報と所在地情報データベース２０９に記憶されている絶対位置の情報とを照合することによりコード発行要求装置の所在地を特定することができる。メッセージ送信部２１０は、生産地確認メッセージ生成部２０８により生成された生産地確認メッセージ又はエラーメッセージを端末装置３に送信する。
【００５３】
また、生産地保証装置２も、図示していないが、例えばマイクロプロセッサ等のＣＰＵ、半導体メモリ等や磁気ディスク等の記録手段、及び通信手段を有する計算機により実現することができる。記録手段には、生産地保証装置２に含まれる各構成要素の機能を実現するプログラムが記録されており、ＣＰＵがこれらのプログラムを読み込むことにより生産地保証装置２の動作を制御し、各構成要素の機能を実現することができる。
【００５４】
図４は、端末装置３の構成例を示す図である。生産地保証コード読取り部３０１は商品に付された生産地保証コードを読み取る手段であり、例えば、バーコードリーダである。生産地確認要求生成部３０２は生産地保証コード読取り部３０１により読み取られた生産地保証コードを含む生産地確認要求を生成する。通信部３０３は、生産地確認要求生成部３０２により生成された生産地確認要求を生産地保証装置２に送信するとともに、生産地保証装置２から送信された生産地確認メッセージ又はエラーメッセージを受信する。表示情報生成部３０４は、通信部３０３により受信された生産地確認メッセージ又はエラーメッセージから図１０又は図１１に示す表示情報を生成する。表示部３０５は、表示情報生成部３０４により生成された表示情報を表示する。
【００５５】
また、端末装置３も、図示していないが、例えばマイクロプロセッサ等のＣＰＵ、半導体メモリ等や磁気ディスク等の記録手段、及び通信手段を有する計算機により実現することができる。記録手段には、端末装置３に含まれる各構成要素の機能を実現するプログラムが記録されており、ＣＰＵがこれらのプログラムを読み込むことにより端末装置３の動作を制御し、各構成要素の機能を実現することができる。
【００５６】
次に、コード発行要求装置１の動作を説明する。図５はコード発行要求装置１の動作を説明するフローチャート図である。
【００５７】
まず、入力部１０６がコード発行要求装置１のオペレータよりコード発行要求の生成指示及び生産地保証コードの要求数量の情報を入力する（Ｓ５０１）。次に、ＧＰＳ受信部１０２がＧＰＳアンテナ１０１を介して準天頂衛星５からの測位情報を受信する（Ｓ５０２）。次に、コード発行要求生成部１０３が測位情報に基づきコード発行要求装置１の所在位置の測位を行うとともに測位時刻の抽出を行い、測位結果を示す位置情報、測位時刻を示す時刻情報を生成し、更に、位置情報、測位情報に入力部１０６が入力した要求数量情報と、コード発行要求生成部１０３が記憶している認証情報とを合成して図８に示すようなコード発行要求を生成する（Ｓ５０３）。次に、通信部１０４が生成されたコード発行要求を生産地保証装置２に送信する（Ｓ５０４）。
【００５８】
その後、生産地保証装置２から生産地保証コードが送信された場合に、通信部１０４が生産地保証コードを受信する（Ｓ５０５）。次に、通信部１０４により受信された生産地保証コードからコードシール出力部１０５がコードシールを出力する。この後、コードシールが商品に付され、コードシールが付された商品が市場に流通されることになる。
【００５９】
次に、生産地保証装置２による生産地保証コードの発行手順について説明する。図６は、生産地保証コードの発行手順を示すフローチャートである。
【００６０】
まず、コード発行要求受信部２０３がコード発行要求装置１から送信されたコード発行要求を受信する（Ｓ６０１）。次に、認証処理部２０４がコード発行要求に含まれた認証情報を用いてコード発行要求の要求元が登録されたコード発行要求装置１であるか否かの認証を行う（Ｓ６０２）。認証処理の結果、コード発行要求の要求元が登録されたコード発行要求装置１でない場合（Ｓ６０３でＮｏ）は、処理を終了する。一方、コード発行要求の要求元が登録されたコード発行要求装置１である場合（Ｓ６０３でＹｅｓ）は、コード生成部２０５がコード発行要求に含まれた位置情報及び時刻情報に対する暗号化処理を行って生産地保証コードを生成する（Ｓ６０４）。次に、コード送信部２０６が、生成された生産地保証コードをコード発行要求装置１に送信する。
【００６１】
次に、生産地保証装置２による生産地確認メッセージの生成・送信手順について説明する。図７は、生産地確認メッセージの生成・送信手順を示すフローチャートである。
【００６２】
まず、生産地確認要求受信部２０７が端末装置３から送信された生産地確認要求を受信する（Ｓ７０１）。次に、生産地確認メッセージ生成部２０８が生産地確認要求に含まれている生産地保証コードに対する復号化処理を行う（Ｓ７０２）。復号化処理の結果、位置情報及び時刻情報が適正に取得できない場合（Ｓ７０３でＮｏ）は、生産地確認メッセージ生成部２０８は所定のエラーメッセージを生成する（Ｓ７０４）。一方、復号化処理の結果、位置情報及び時刻情報が適正に取得できた場合（Ｓ７０３でＹｅｓ）は、生産地確認メッセージ生成部２０８は取得した位置情報と所在地情報データベース２０９に記憶されている所在地情報とを照合してコード発行要求装置１の所在地（市町村名）を特定し、コード発行要求装置１の所在地を示す付加情報を生成する（Ｓ７０５）。次に、復号化処理により取得した位置情報、時刻情報、及びステップＳ７０５で生成した付加情報を合成し、図９に示すような生産地確認メッセージを生成する（Ｓ７０６）。その後、メッセージ送信部２１０が生産地確認メッセージ又はエラーメッセージを端末装置３に送信する（Ｓ７０７）。その後、上述したように、端末装置３では図１０又は図１１に示す表示情報が表示され、販売店の担当者又は消費者は商品の生産地の確認ができる。
【００６３】
このように、本実施の形態に係る生産地保証システムによれば、販売店及び消費者は、商品がいつどこから出荷されたかを知ることができ、商品の生産地を客観的に検証することができ、販売店は適正な生産地で生産された商品を正確に入荷することができ、消費者は適正な生産地で生産された商品を安心して購入することができる。また、生産者にとっても、本生産地保証システムによって虚偽の生産地が表示された商品を排除することができ、生産地のブランド力の保護及び向上を図ることができる。
【００６４】
なお、以上では、コード発行要求装置の設置場所の例として、農産物の出荷を管理する組合、漁業組合、農家、漁業業者を挙げたが、これらに限らず、製造物の工場等、あらゆる商品の生産地に設置することが可能である。
【００６５】
また、以上では、コード発行要求装置は、準天頂衛星からの測位情報を用いて測位を行うこととしたが、これに限らず、ＧＰＳ衛星や静止衛星といった他の種類の衛星や測位のための情報を配信する地上装置等であってもよい。
【００６６】
また、以上では、生産地保証装置は、コード発行要求装置の所在地（市町村名）を特定しコード発行要求装置の所在地を付加情報として端末装置に通知していたが、コード発行要求装置の所在地の特定及び端末装置への通知を行わなくてもよい。すなわち、端末装置に位置情報と時刻情報のみが表示されるようにしてもよい。また、コード発行要求から時刻情報を省略してもよい（コード発行要求を認証情報、要求数量情報、位置情報のみで構成する）。この場合には、位置情報のみを暗号化して生産地保証コードを生成し、また、生産地確認メッセージに位置情報のみ（または位置情報と付加情報のみ）を含ませるようにする。
【００６７】
また、生産地保証装置に所定の補正値配信サーバを接続し、生産地保証装置はコード発行要求に含まれた位置情報に対して補正値配信サーバからの補正値を加えて補正処理を行い、補正処理後の位置情報及び時刻情報を暗号化して生産地保証コードを生成するようにしてもよい。
【００６８】
また、コード発行要求装置と生産地保証装置との間の通信、または端末装置と生産地保証装置との間の通信を暗号化通信としてもよい。
【００６９】
また、生産地保証装置からコード発行要求装置への生産地保証コードの送信に対して、コード発行要求装置を管理している組合等への課金を行ってもよい。また、同様に、生産地保証装置から端末装置への生産地確認メッセージの送信に対して、端末装置を管理している販売店等へ課金を行ってもよい。
【００７０】
また、本生産地保証システムによる生産地保証は、日本国内のみならず、全世界的に展開することも可能である。
【００７１】
実施の形態２．
以上の実施の形態１では、コード発行要求装置１はコード発行要求の生成のたびに自装置の所在位置の測位を行っていたが、本実施の形態では、コード発行要求装置１が自装置の所在位置を記憶している場合について説明する。
【００７２】
図１３は、本実施の形態に係る生産地保証システムの構成例を示している。本実施の形態では、コード発行要求装置１は自装置の所在位置を記憶しており、測位情報の受信が不要であるため、準天頂衛星５を不要とすることができる。図１３における他の構成は、図１に示したものと同様であるため説明を省略する。
【００７３】
また、図１４は、本実施の形態に係るコード発行要求装置１の構成例を示している。本実施の形態では、コード発行要求装置１は、図２に示したＧＰＳアンテナ１０１及びＧＰＳ受信部１０２を省略し、代わりに、コード発行要求装置１の所在位置を示す所在位置情報を記憶する所在位置情報記憶部１０７を追加している。図１４における他の構成は、図２に示したものと同様であるが、コード発行要求生成部１０３の動作が異なる。すなわち、コード発行要求生成部１０３は、コード発行要求の生成の際には、所在位置情報記憶部１０７に記憶されている所在位置情報を読み出して位置情報とし、また、コード発行要求の生成時刻を示す情報を時刻情報としてコード発行要求を生成する。また、生産地保証装置２の構成及び動作、端末装置３の構成及び動作はそれぞれ実施の形態１に示したものと同様である。
【００７４】
なお、実施の形態１で説明したように、本実施の形態においても、コード発行要求から時刻情報を省略してもよい（コード発行要求を認証情報、要求数量情報、位置情報のみで構成する）。この場合には、位置情報のみを暗号化して生産地保証コードを生成し、また、生産地確認メッセージに位置情報のみ（または位置情報と付加情報のみ）を含ませるようにする。
【００７５】
このように、本実施の形態に係る生産地保証システムによれば、測位情報を受信する必要がないため、コード発行要求装置の装置構成を簡略化することができ、また、測位情報の受信に要する電力消費を抑えることができる。
【００７６】
実施の形態３．
以上の実施の形態２では、コード発行要求装置１が自装置の所在位置を記憶していたが、本実施の形態では、生産地保証装置２がコード発行要求装置１の所在位置を記憶している場合について説明する。
【００７７】
本実施の形態に係る生産地保証システムの全体構成は、図１３に示したものと同様である。また、本実施の形態に係るコード発行要求装置１の構成は、図１４に示した構成から所在位置情報記憶部１０７を省いた構成となる。また、生産地保証装置２及び端末装置３の構成は実施の形態１と同様である。
【００７８】
本実施の形態では、コード発行要求装置１は、コード発行要求の生成時刻を時刻情報とし、認証情報、要求数量情報、時刻情報のみからなる（位置情報を省略）コード発行要求を生成し、生産地保証装置２に送信する。生産地保証装置２では、認証処理の後、認証情報に含まれているコード発行要求装置１の装置ＩＤをキーにして所在地情報データベース２０９に記憶されている所在位置情報（図１２）からコード発行要求装置１の位置情報（絶対位置）を取得する。そして、所在地情報データベース２０９から取得した位置情報とコード発行要求に含まれている時刻情報に対する暗号化処理を行って生産地保証コードを生成する。以降の動作は、実施の形態１に示したものと同様である。
【００７９】
なお、実施の形態１で説明したように、本実施の形態においても、コード発行要求から時刻情報を省略してもよい（コード発行要求を認証情報、要求数量情報のみで構成する）。この場合には、所在地情報データベース２０９から取得した位置情報のみを暗号化して生産地保証コードを生成し、また、生産地確認メッセージに位置情報のみ（または位置情報と付加情報のみ）を含ませるようにする。
【００８０】
このように、本実施の形態に係る生産地保証システムによれば、コード発行要求装置からのコード発行要求のデータ構成を簡略化することができ、このため、コード発行要求装置の装置構成の簡略化を図ることができ、また、通信コストを抑えることができる。
【図面の簡単な説明】
【００８１】
【図１】実施の形態１に係る生産地保証システムの構成例を示す図。
【図２】実施の形態１に係るコード発行要求装置の構成例を示す図。
【図３】実施の形態１に係る生産地保証装置の構成例を示す図。
【図４】実施の形態１に係る端末装置の構成例を示す図。
【図５】実施の形態１に係るコード発行要求装置の動作を示すフローチャート。
【図６】実施の形態１に係る生産地保証装置の生産地保証コードの発行手順を示すフローチャート。
【図７】実施の形態１に係る生産地保証装置の生産地確認メッセージの生成・送信手順を示すフローチャート。
【図８】実施の形態１に係るコード発行要求のデータ構成例を示す図。
【図９】実施の形態１に係る生産地確認メッセージのデータ構成例を示す図。
【図１０】実施の形態１に係る表示情報（生産地確認メッセージ）の例を示す図。
【図１１】実施の形態１に係る表示情報（エラーメッセージ）の例を示す図。
【図１２】実施の形態１に係る所在地情報の例を示す図。
【図１３】実施の形態２に係る生産地保証システムの構成例を示す図。
【図１４】実施の形態２に係るコード発行要求装置の構成例を示す図。
【符号の説明】
【００８２】
１  コード発行要求装置、２  生産地保証装置、３  端末装置、４  ネットワーク、５  準天頂衛星、１０１  ＧＰＳアンテナ、１０２  ＧＰＳ受信部、１０３  コード発行要求生成部、１０４  通信部、１０５  コードシール出力部、１０６  入力部、２０１  コード発行機能、２０２  生産地確認機能、２０３  コード発行要求受信部、２０４  認証処理部、２０５  コード生成部、２０６  コード送信部、２０７  生産地確認要求受信部、２０８  生産地確認メッセージ生成部、２０９  所在地情報データベース、２１０  メッセージ送信部、３０１  生産地保証コード読取り部、３０２  生産地確認要求生成部、３０３  通信部、３０４  表示情報生成部、３０５  表示部。
【図１】
2005107799.tif 000003
【図２】
2005107799.tif 000004
【図３】
2005107799.tif 000005
【図４】
2005107799.tif 000006
【図５】
2005107799.tif 000007
【図６】
2005107799.tif 000008
【図７】
2005107799.tif 000009
【図８】
2005107799.tif 000010
【図９】
2005107799.tif 000011
【図１０】
2005107799.tif 000012
【図１１】
2005107799.tif 000013
【図１２】
2005107799.tif 000014
【図１３】
2005107799.tif 000015
【図１４】
2005107799.tif 000016